【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
第１取得条件の成立に基づいて、第１情報を取得する第１取得手段と、
その第１取得手段により取得された前記第１情報に基づいて第１判定を実行する第１判定手段と、
その第１判定手段による第１判定の結果に基づいた第１演出を第１演出期間で実行する第１演出実行手段と、
その第１演出実行手段により実行される前記第１演出の前記第１演出期間を複数の演出期間より決定する第１演出期間決定手段と、
その第１演出期間決定手段により決定された前記第１演出期間に対応した前記第１演出の態様を実行するための態様情報を前記第１演出の実行開始前に設定する第１演出設定手段と、
前記第１取得条件とは異なる第２取得条件の成立に基づいて、第２情報を取得する第２取得手段と、
その第２取得手段により取得された前記第２情報に基づいて、第２判定を実行する第２判定手段と、
その第２判定手段による第２判定の結果に基づいた第２演出を第２演出期間で実行する第２演出実行手段と、
その第２演出実行手段により実行される前記第２演出の前記第２演出期間を複数の演出期間より決定する第２演出期間決定手段と、
その第２演出期間決定手段により決定された前記第２演出期間に対応した前記第２演出の態様を実行するための態様情報を前記第２演出の実行開始前に設定する第２演出設定手段と、
前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有した遊技機において、
前記特典遊技実行手段により前記特典遊技が実行される場合に、実行されている前記第１演出の前記第１演出期間または前記第２演出の前記第２演出期間の計時を仮停止する仮停止手段と、
前記特典遊技の終了に基づいて、前記仮停止手段による仮停止を解除する解除手段と、
前記仮停止手段により計時が仮停止されている場合にも、前記第１演出実行手段または前記第２演出実行手段に前記第１演出または前記第２演出を実行させる継続手段と、
前記第１演出または前記第２演出が終了した場合にも、前記第１演出期間または前記第２演出期間の残期間がある場合に、その残期間で特定演出を実行する特定演出実行手段と、を有し、
前記特定演出実行手段は、前記第１演出実行手段または前記第２演出実行手段により前記第１演出設定手段または前記第２演出設定手段により設定された前記態様情報に基づいて実行される前記第１演出の態様または前記第２演出の態様を最終の態様まで実行した後に、前記特定演出を実行するものであることを特徴とする遊技機。
【手続補正２】
【補正対象書類名】明細書
【補正対象項目名】０００２
【補正方法】変更
【補正の内容】
【０００２】
パチンコ機等の遊技機において、第１始動入賞口への遊技球の入賞に基づいて変動表示が所定期間実行される第１図柄と第２始動入賞口への遊技球の入賞に基づいて変動表示が所定期間実行される第２図柄とを有し、夫々の図柄を同時に変動可能としたものがある。このような遊技機には、第１図柄と第２図柄のうち、一方の図柄が当たりに当選したことを示す態様で停止表示された場合に、変動表示中である他方の図柄の変動期間の計測を中断し、当たり遊技が終了した場合に、中断していた変動期間の計測を再開するように構成しているものがある。
【手続補正３】
【補正対象書類名】明細書
【補正対象項目名】０００４
【補正方法】変更
【補正の内容】
【０００４】
かかる従来型の遊技機では、変動期間の計測が中断された場合に、遊技者に違和感を与える演出が実行される虞があり、遊技者の遊技意欲が低下してしまうという問題があった。
【手続補正４】
【補正対象書類名】明細書
【補正対象項目名】０００５
【補正方法】変更
【補正の内容】
【０００５】
本発明は、上記例示した問題点等を解決するためになされたものであり、遊技意欲の低下を抑制する遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、その第１演出実行手段により実行される前記第１演出の前記第１演出期間を複数の演出期間より決定する第１演出期間決定手段と、その第１演出期間決定手段により決定された前記第１演出期間に対応した前記第１演出の態様を実行するための態様情報を前記第１演出の実行開始前に設定する第１演出設定手段と、前記第１取得条件とは異なる第２取得条件の成立に基づいて、第２情報を取得する第２取得手段と、その第２取得手段により取得された前記第２情報に基づいて、第２判定を実行する第２判定手段と、その第２判定手段による第２判定の結果に基づいた第２演出を第２演出期間で実行する第２演出実行手段と、その第２演出実行手段により実行される前記第２演出の前記第２演出期間を複数の演出期間より決定する第２演出期間決定手段と、その第２演出期間決定手段により決定された前記第２演出期間に対応した前記第２演出の態様を実行するための態様情報を前記第２演出の実行開始前に設定する第２演出設定手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、前記特典遊技実行手段により前記特典遊技が実行される場合に、実行されている前記第１演出の前記第１演出期間または前記第２演出の前記第２演出期間の計時を仮停止する仮停止手段と、前記特典遊技の終了に基づいて、前記仮停止手段による仮停止を解除する解除手段と、前記仮停止手段により計時が仮停止されている場合にも、前記第１演出実行手段または前記第２演出実行手段に前記第１演出または前記第２演出を実行させる継続手段と、前記第１演出または前記第２演出が終了した場合にも、前記第１演出期間または前記第２演出期間の残期間がある場合に、その残期間で特定演出を実行する特定演出実行手段と、を有し、前記特定演出実行手段は、前記第１演出実行手段または前記第２演出実行手段により前記第１演出設定手段または前記第２演出設定手段により設定された前記態様情報に基づいて実行される前記第１演出の態様または前記第２演出の態様を最終の態様まで実行した後に、前記特定演出を実行するものである。
【手続補正６】
【補正対象書類名】明細書
【補正対象項目名】００１１
【補正方法】変更
【補正の内容】
【００１１】
請求項１記載の遊技機によれば、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、その第１演出実行手段により実行される前記第１演出の前記第１演出期間を複数の演出期間より決定する第１演出期間決定手段と、その第１演出期間決定手段により決定された前記第１演出期間に対応した前記第１演出の態様を実行するための態様情報を前記第１演出の実行開始前に設定する第１演出設定手段と、前記第１取得条件とは異なる第２取得条件の成立に基づいて、第２情報を取得する第２取得手段と、その第２取得手段により取得された前記第２情報に基づいて、第２判定を実行する第２判定手段と、その第２判定手段による第２判定の結果に基づいた第２演出を第２演出期間で実行する第２演出実行手段と、その第２演出実行手段により実行される前記第２演出の前記第２演出期間を複数の演出期間より決定する第２演出期間決定手段と、その第２演出期間決定手段により決定された前記第２演出期間に対応した前記第２演出の態様を実行するための態様情報を前記第２演出の実行開始前に設定する第２演出設定手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、前記特典遊技実行手段により前記特典遊技が実行される場合に、実行されている前記第１演出の前記第１演出期間または前記第２演出の前記第２演出期間の計時を仮停止する仮停止手段と、前記特典遊技の終了に基づいて、前記仮停止手段による仮停止を解除する解除手段と、前記仮停止手段により計時が仮停止されている場合にも、前記第１演出実行手段または前記第２演出実行手段に前記第１演出または前記第２演出を実行させる継続手段と、前記第１演出または前記第２演出が終了した場合にも、前記第１演出期間または前記第２演出期間の残期間がある場合に、その残期間で特定演出を実行する特定演出実行手段と、を有し、前記特定演出実行手段は、前記第１演出実行手段または前記第２演出実行手段により前記第１演出設定手段または前記第２演出設定手段により設定された前記態様情報に基づいて実行される前記第１演出の態様または前記第２演出の態様を最終の態様まで実行した後に、前記特定演出を実行するものである。
【手続補正７】
【補正対象書類名】明細書
【補正対象項目名】００１２
【補正方法】変更
【補正の内容】
【００１２】
よって、遊技意欲の低下を抑制することができるという効果がある。
【手続補正８】
【補正対象書類名】明細書
【補正対象項目名】２８２５
【補正方法】変更
【補正の内容】
【２８２５】
１０                            パチンコ機（遊技機）
Ｓ３０１                        第１取得手段
Ｓ３０６                        第１判定手段
Ｓ３０７                        第１演出実行手段
Ｓ５０６ 第１演出期間設定手段
Ｓ７３２ 仮停止手段
Ｓ８０４                        第２判定手段
Ｓ８０５                        第２演出実行手段
Ｓ１１０６ 第２演出期間設定手段
Ｓ２００４                      特典遊技実行手段
Ｓ２９０３ 解除手段
Ｓ４７０３ 継続手段
Ｓ４９０２ 特定演出実行手段